(57)【要約】【課題】経済性、融氷雪性、防滑性に優れ、排水機能を有し、且つ、設置の地域や場所が限定されず、野外で好適に使用することができる融雪床材を提供すること。【解決手段】少なくとも一対の端子２０を具備する通電発熱体２の表裏面を、合成樹脂及び／又はゴムを主成分とし、遠赤外線の放出粉末を均等に内包する表面シート３と、合成樹脂及び／又はゴムを主成分とし断熱性に優れた裏面シート４とで密封して構成する。【選択図】図１
2005120675.tif 000002
【特許請求の範囲】
【請求項１】
少なくとも一対の端子を具備する通電発熱体の表裏面を、合成樹脂及び／又はゴムを主成分とし、遠赤外線の放出粉末を均等に内包する表面シートと、合成樹脂及び／又はゴムを主成分とし断熱性に優れた裏面シートとで密封して構成したことを特徴とする融雪床材。
【請求項２】
裏面シートの上部又は通電発熱体の上部のいずれかに反射シートを設けたことを特徴とする請求項１記載の融雪床材。
【請求項３】
表面シートに凹部と凸部を形成し、その凹部を互いに連通させ、これを表面シートの端部間に通じるよう凹溝に形成したことを特徴とする請求項１又は２記載の融雪床材。
【請求項４】
少なくとも凹溝の内表面に親水性を付与したことを特徴とする請求項１、２又は３記載の融雪床材。
【請求項５】
少なくとも一つの凹溝の内表面に蓄光性を付与したことを特徴とする請求項１、２、３又は４記載の融雪床材。
【請求項６】
表面シートに模様及び／又は文字を設けたことを特徴とする請求項１、２、３、４又は５記載の融雪床材。
【請求項７】
センサーを具備し、通電回路の開閉を自動化したことを特徴とする請求項１、２、３、４、５又は６記載の融雪床材。
【発明の詳細な説明】
【技術分野】
【０００１】
本発明は、融雪床材に関し、特に寒冷地の屋外等にて表面に付着する氷や雪を効果的に融かすことができる融雪床材に関するものである。
【背景技術】
【０００２】
従来、通電発熱させて表面の氷や雪を融かすようにした床材や、表面に赤外線や遠赤外線を照射して氷や雪を融かすようにした床材、さらに保温性と断熱性に優れた合成樹脂に遠赤外線放出物質を混合し、地熱でその放出量を高めて雪を融かすようにした床材、或いはこれらの床材に転用可能な積層シート等が数多く提案されている。
【０００３】
その代表例として、特許文献１に開示された融雪マットは、発泡ゴム製の板状体を主体とし、この板状体の中央部に加熱媒体流通用導管を埋設して構成され、板状体の中央部表面に灼熱材が載置され、この灼熱材の上にカーペット又は人工芝を順に載置するようにされている。
また、特許文献２に開示された凍結防止及び融雪装置は、遠赤外線ヒータ設備を遠赤外線ヒータと反射板の相対位置を可変に構成し、路面の熱照射範囲を調節可能とするとともに、被熱照射路面上に照射熱の蓄熱マットを敷設して構成されている。
さらに、特許文献３に開示された積層シートは、遠赤外線放出物質を混合したポリオレフィン系又はポリウレタン系のシート状の架橋発泡体と、該架橋発泡体の両面のうち一方の面に積層された該架橋発泡体と同じ樹脂系列のシート状の不職布と、該架橋発泡体の他方の面に積層されたシート状のポリエステル系又はポリオレフィン系のフィルムとから構成されている。
【０００４】
しかしながら、これらの融雪装置等は、加熱媒体流通用導管の埋設や灼熱材の使用等で設備、電気の使用量が極めて多く不経済であり、また、遠赤外線ヒータ、反射板、蓄熱マット等を使用すれば、確実に雪や氷を融かすことができる利点を有するも、その設備費が高価なものになり、さらに地熱利用の観点でその設置の地域や場所が限定されるという問題があった。
【特許文献１】特開平１１−８１２１７号公報
【特許文献２】実公平０７−３８３５１号公報
【特許文献３】特開２００２−２７３８３３号公報
【発明の開示】
【発明が解決しようとする課題】
【０００５】
本発明は、上記の融雪装置の有する問題点に鑑みてなしたものであり、経済性、融氷雪性、防滑性に優れ、排水機能を有し、且つ、設置の地域や場所が限定されず、野外で好適に使用することができる融雪床材を提供することを目的とする。
【課題を解決するための手段】
【０００６】
上記目的を達成するため、本発明の融雪床材は、少なくとも一対の端子を具備する通電発熱体の表裏面を、合成樹脂及び／又はゴムを主成分とし、遠赤外線の放出粉末を均等に内包する表面シートと、合成樹脂及び／又はゴムを主成分とし断熱性に優れた裏面シートとで密封して構成したことを特徴とする。
【０００７】
この場合において、裏面シートの上部又は通電発熱体の上部のいずれかに反射シートを配設することができる。
【０００８】
また、表面シートに凹部と凸部を形成し、その凹部を互いに連通させ、これを表面シートの端部間に通じるよう凹溝に形成することができる。
【０００９】
また、少なくとも凹溝の内表面に親水性を付与することができる。
【００１０】
また、少なくとも一つの凹溝の内表面に蓄光性を付与することができる。
【００１１】
また、表面シートに模様及び／又は文字を設けることができる。
【００１２】
また、センサーを具備し、通電回路の開閉を自動化することができる。
【発明の効果】
【００１３】
本発明の融雪床材は、少なくとも一対の端子を具備する通電発熱体の表裏面を、合成樹脂及び／又はゴムを主成分とし、遠赤外線の放出粉末を均等に内包する表面シートと、合成樹脂及び／又はゴムを主成分とし断熱性に優れた裏面シートとで密封して構成しているから、通電発熱体に荷電すれば表面温度が上昇することにより、凍結、積雪が防止されるとともに、表面シート内の放出粉末が暖められ遠赤外線の放出量が増大し、融氷雪機能が著しく向上することになり、且つ、遠赤外線の放出により電気発熱量が低減でき、その経済効果を向上させることができる。
【００１４】
また、裏面シートの上部又は通電発熱体の上部のいずれかに反射シートを設けることにより、下方に放出される遠赤外線が反射シートで上方に反射され、融雪床材表面の融氷雪機能がさらに高まり、その経済効果をさらに向上することができる。
【００１５】
また、表面シートに凹部と凸部を形成し、その凹部を互いに連通させ、これを表面シートの端部間に通じるよう凹溝に形成することにより、表面シートの凹部と凸部の凹凸により滑りを事前に防止することになり、さらに、凹部が互いに連通して端部間に通じるよう凹溝を形成しているので、融雪床材表面の水を表面シートの側部に排出することによって、防滑機能を高めることができる。
【００１６】
また、少なくとも凹溝の内表面に親水性を付与することにより、水の排出が加速され、防滑機能がさらに向上することになり、歩行時の安全性を高めることができる。
【００１７】
また、少なくとも一つの凹溝の内表面に蓄光性を付与することにより、発光し暗闇での視認が可能になり、歩行時の安全性を高めることができる。
【００１８】
また、表面シートに模様及び／又は文字を設けることにより、この模様や文字により、宣伝、確認効果を向上させることができる。
【００１９】
また、センサーを具備し、通電回路の開閉を自動化するようにしているから、センサーにて通電回路の開閉を自動化させることで、融雪床材の管理が楽になり、さらに、具備させるセンサーの種類により、温度、機械量等それぞれ異種の物理量の感知が可能になり、融雪床材を使用する地域の状況により、通電発熱体の使用温度域や通電の開閉等を最適の条件で制御することが可能となる。
【発明を実施するための最良の形態】
【００２０】
以下、本発明の融雪床材の実施の形態を、図１〜図６の図面に基づいて説明する。
【実施例１】
【００２１】
図１に、本発明の融雪床材の第１実施例を示す。
この第１実施例における融雪床材１は、一対の端子２０を具備する通電発熱体２の表裏面を、合成樹脂やゴムを主成分とする表面シート３と、これと同様に合成樹脂やゴムを主成分とする断熱性に優れた裏面シート４とで密封するように構成し、且つ、表面シート３に遠赤外線の放出粉末５を均等に分散させるように添加する。
なお、図１（Ａ）に示す実施例では、通電発熱体２を密封する表面シート３及び裏面シート４を同じ大きさとしたが、図１（Ｂ）に示すように、表面シート３より裏面シート４を大きくすることもできる。これは特に限定されるものではなく、これとは逆に、表面シート３側を裏面シート４よりも大きく形成することもできる。
また、表面シート３と裏面シート４との密封の手段や形態も特に限定されるものではなく、融雪床材１の厚みも２〜２０ｍｍが使用上好ましいが、特に制約されるものでもなく、積層各部の厚みも制約されるものでない。
【００２２】
この通電発熱体２には、炭素やステンレス、ニクロム等の金属の繊維や細線を、例えば、電気毛布のヒータ部のように平面配設させることで好適に使用できる。
また、これら繊維や細線を内包させた織物や網体や薄板体等、同様物の粉体を導電性が高い合成樹脂やゴムに分散したフィルム等も好適に使用できることができる。そして、融雪床材１の設計に添って上記繊維や細線、織物や網体やフィルム等で通電回路を形成し、その回路の端部間に通電線（図示省略）と漏電防止のため水密状態及び発火防止のため気密状態で接続できる少なくとも一対の端子２０とを具備させ、これを密封するように表裏に表面シート３と裏面シート４を積層させるようにする。
【００２３】
また、上記通電発熱体２を密封する表面シート３や裏面シート４には、合成樹脂としては、成形性の良さから熱可塑性樹脂が好適に使用でき、中でも、汎用性の高い、ポリビニル系の塩化ビニルや酢酸ビニル等、ポリオレフィン系のポリエチレン、ポリプロピレン等、これら合成樹脂の混合体、これら合成樹脂とエチレン−酢酸ビニル等の共重合体類やエラストマ−類や変性ポリオレフィン類等との混合物がより好適に使用でき、ゴムでは、天然、合成を問わず殆どの種類のものが使用できる。
【００２４】
また、融雪床材１に弾力性を付与するために、上記合成樹脂やゴムからなる表面シート３や裏面シート４を発泡体に形成することも可能である。この場合は、発火防止の観点で表面シート３や裏面シート４の通電発熱体２との接触部は気密状態になるよう融雪床材１を形成することが不可欠である。
【００２５】
また、表面シート３に添加する遠赤外線の放出粉末５としては、アルミナ等の金属酸化物や沸石、蛇紋石、トルマリン等の自然石や海藻炭素等の粉末及び海藻炭素を焼結したセラミックの粉末等が融雪床材１の設計に応じて適宜選択使用できる。
【００２６】
本発明の融雪床材１は上記のように形成することにより、通電発熱体２の端子２０間に通電線を接続して荷電すれば融雪床材１が暖まりその表面での凍結、積雪が防止及び表面で融氷雪され、同時に、放出粉末５も暖められ遠赤外線の放出量が激増し、表面の雪や氷に通電発熱体２の熱伝導に加え遠赤外線の熱放射が作用することになり、融氷雪機能著しく向上する。さらに、遠赤外線の放出量に応じて、通電発熱体２の発熱量が低減でき、その経済効果は著しく高まることにもなると共に、漏電、発火の要因が減少し安全性が向上することになる。
【００２７】
この場合、遠赤外線の被照射体となる雪や氷に向けて効率よく放出させるため、表面シート３には、赤外線や遠赤外線の透過性に優れたポリオレフィン系の合成樹脂、ポリエチレン、ポリプロピレン等、これら合成樹脂の混合体、これら合成樹脂とエチレン−酢酸ビニル等の共重合体類やエラストマ−類や変性ポリオレフィン類等のとの混合物が最適に使用できることになる。
さらに、裏面シート４には、融雪床材１下方への熱伝導を防止、熱放射を遮蔽する断熱性に加えて保温性や蓄熱性に優れた合成樹脂やゴムを使用すれば、裏面シート４は最適の形態となり、熱効率の観点から、融雪床材１は最良の形態となる。
【実施例２】
【００２８】
また、図２は、本発明の融雪床材の第２実施例を示す。この第２実施例においては、第１実施例と同じように構成する表面シート３と裏面シート４との間に通電発熱体２とともに反射シート６を配設したものである。
この場合、図２（Ａ）に示す実施例は、裏面シート４の上部（相対的に通電発熱体２の下部）に反射シート６を、また図２（Ｂ）に示す実施例は通電発熱体２の上部（相対的に表面シート３の上部）に反射シート６を、それぞれ配設したものである。
【００２９】
この反射シート６には、光反射性の強い金属板、又はこの金属板に金属メッキを施した薄板を使用することができるが、経済的にアルミ等光反射性の強い金属を蒸着させた合成樹脂製フィルムがより好適に使用できる。
また、融雪床材１に反射シート６を設けて形成することで、融雪床材１の下方に放出される遠赤外、赤外等の熱線が反射シート６で上方に反射されることにより、融雪床材表面の融氷雪機能がさらに高まり、その経済効果は著しく向上することになる。
【００３０】
また、本発明の融雪床材１においては、さらに漏電や発火を防止するため、表面シート３と裏面シート４との間、通電発熱体２や反射シート６の上部及び／又は下部に別途難燃性、電気絶縁性、耐熱性、蓄熱性等に優れたシートやフィルム（いずれも図示省略）をそれぞれ積層することができる。
このように本発明は、最良の熱効率を追求するもので、表裏に表面シート３と裏面シート４、その間に通電発熱体２が保持されるならば、その積層数は特に限定されるものではない。
【実施例３】
【００３１】
図３は、本発明の融雪床材の第３実施例を示す。この第３実施例においては、前記実施例と同じように構成する表面シート３の面に、凹部３１と凸部３２をほぼ定間隔毎に形成したものである。
このように、表面シート３に凹部３１と凸部３２を形成することで、表面シート３の凸部３２が歩行時の滑りを事前に防止することになり、また凹部３１を互いに連通させることにより、表面シート３の端部間に通じる凹溝３０になるよう形成すれば、融雪床材１表面の水はその側部に排出され、防滑機能をより高まるようにすることができる。
【００３２】
この場合、少なくとも凹部３１の内表面３３に親水性を付与すれば、水の排出が加速され、防滑機能をさらに高めることができる。また、この親水性を付与する手段としては、特に限定されるものではないが、例えば界面活性剤（親水性物質）を、直接表面シート３の凹部３１の内表面３３に直接練り込む、界面活性剤を塗料に分散しこれを同箇所等に塗布する、表面シート３に親水性樹脂を混合させる、親水性樹脂で薄いシートを形成しこれを同箇所等に貼着する等、各種の方法を採用することができ、適宜最良の手段を選択すればよい。
【００３３】
界面活性剤としては、具体的に多価アルコールと高級脂肪酸類とから誘導された多価アルコール部分エステルが好適に使用でき、また、親水性樹脂としては、エチレンビニルアルコールやポリビニルアルコール等の水酸基を有する合成樹脂が好適に使用できる。
【実施例４】
【００３４】
また、図４に本発明の融雪床材の第４実施例を示す。この第４実施例においては、暗闇での視認を可能にするために、第３実施例で示す表面シート３の凹部３１の内表面３３に蓄光材９を付与して発光部９０を形成し、その下部や側部に隣接させて発光を付勢する白色部９１を設けたものである。
このように凹部３１の内表面３３に蓄光材９を付与することで、踏み圧による摩耗から発光部９０が護られ、長期に亘り暗闇での視認を可能にすることができる。
【００３５】
この蓄光材９としては、商品名「Ｎ−夜光」（根本特殊化学株式会社製）、商品名「ピカリコ」（ケミテック株式会社製）、等が好適に使用でき、付与手段として、蓄光材９を直接表面シート３の凹部３１の内表面３３に練り込むか、蓄光材９を塗料に分散させこれを同箇所等に塗布することが考えられるが、これら蓄光材９を合成樹脂製の薄いテープに分散させ、これを同箇所等に貼着することが、最も経済的で合理的な手段である。
【実施例５】
【００３６】
また、図５に本発明の融雪床材の第５実施例を示す。この第５実施例においては、表面シート３に意匠性に優れた模様７やその業種や名称を表示する文字８を設けたもので、その一例として、特に限定されるものではないが、例えば飲食業を示す「炉端焼き」、店名を示す「北海」を表示している。このような模様７や文字８の表示手段は多岐に亘るが、その視認効果を考慮して、表面シート３の色に明度差又は色差を持たせて設けることが重要で、暗闇での視認を考慮する場合は、上記の蓄光材９を模様７や文字８に合わせて設ければよい。そして、表面シート３に模様７又は文字８を設けることによって、その店の宣伝、確認効果が向上する。
【実施例６】
【００３７】
また、図６に本発明の融雪床材の第６実施例を示す。この第６実施例においては、融雪床材１の表面シート３内部に温度センサー１０を設けるとともに、外部に降雪センサー２４を設け、この温度センサー１０及び降雪センサー２４からの情報を制御部２３に伝達し、設定された温度域で通電開閉部２２が作動するように構成したものである。
このように、センサー１０及び降雪センサー２４を設けることにって、例えば、図６（Ａ）はステンレスの発熱線２１を示すものであるが、その発熱により表面シート３内部温度が５０℃をセンサー１０が感知した時に自動的に通電を停止し、５℃に降下した時に自動的に通電を開始させることや、降雪を降雪センサー２４が感知した時に自動的に通電を開始させることによって降雪量に応じて通電を制御することが可能になる。
【００３８】
この場合、温度センサー１０及び降雪センサー（積雪の重さを感知するセンサー）２４を設ける箇所は限定されるものでなく、また、感知する温度域等は融雪床材１を使用する地域の自然環境に応じて設定、調節することができるようにする。
また、センサーには上記の温度センサー１０や降雪センサー２４のほかに、凍結に伴う体積膨張による歪みを感知するセンサー（図示省略）等を適宜選択して用いることができ、これにより、融雪床材１を使用する地域の自然環境等に応じて、通電の開閉を自動化することができる。
【００３９】
以上、本発明の融雪床材について複数の実施例に基づいて説明したが、本発明は上記実施例に記載した構成に限定されるものではなく、その趣旨を逸脱しない範囲において適宜その構成を変更することができるものである。
【産業上の利用可能性】
【００４０】
以上、本発明の融雪床材は、経済性、融氷雪性、防滑性に優れ、排水機能を有し、且つ、設置の地域や場所が限定されず、野外で好適に使用することができるという特性を有していることから、野外で使用する床材の用途に好適に用いることができるほか、例えば、野外で使用する壁や屋根等外面の融雪の用途にも用いることができる。
【図面の簡単な説明】
【００４１】
【図１】本発明の融雪床材の第１実施例を示し、（Ａ）は表面シートと裏面シートとが同じ大きさとした実施例の縦断正面図、（Ｂ）は表面シート側を裏面シートより小とした実施例の縦断正面図である。
【図２】本発明の第２実施例を示し、（Ａ）は裏面シート側に反射シートを配設した実施例の縦断正面図、（Ｂ）は裏面シート側に反射シートを配設した実施例の縦断正面図である。
【図３】本発明の第３実施例を示し、（Ａ）は縦断正面図、（Ｂ）は平面図である。
【図４】本発明の第４実施例を示す縦断正面図である。
【図５】本発明の第５実施例を示す正面図である。
【図６】本発明の第６実施例を示し、（Ａ）は一部破断した平面図、（Ｂ）は断面図である。
【符号の説明】
【００４２】
１    融雪床材
２    通電発熱体
２０  端子
２１  発熱線
２２  通電開閉部
２３  制御部
３    表面シート
３０  凹溝
３１  凹部
３２  凸部
３３  凹部の内表面
４    裏面シート
５    遠赤外線の放出粉末
６    反射シート
７    模様
８    文字
９    蓄光材
９０  発光部
９１  白色部
１０  温度センサー
【図１】
2005120675.tif 000003
【図２】
2005120675.tif 000004
【図３】
2005120675.tif 000005
【図４】
2005120675.tif 000006
【図５】
2005120675.tif 000007
【図６】
2005120675.tif 000008